(57)【要約】【課題】他物の接触や衝突によってドアシール体が脱落するのを確実に防止しながら、ドアシール体の交換作業を簡便に行うことができる冷蔵庫を提供する。【解決手段】ドアシール構造が備えるシール枠１１を、シールベース１４と、ガイド枠１５と、ドアシール体１２の上下方向の移動を規制する上端面キャップ１６および下端面キャップ１７などで構成する。上端面キャップ１６および下端面キャップ１７を、各端面キャップ１６・１７に形成した１個以上のキャップ爪７１・７２・７３と、前記キャップ爪７１・７２・７３に対応するようにシールベース１４に形成したベース側係合部５６ｂ・５７ｂ・６２ｂとで構成される係合構造で、シールベース１４に着脱可能に係合装着する。下端面キャップ１７とシールベース１４との係合強度を、上端面キャップ１６とシールベース１４との係合強度よりも大きく設定する。【選択図】図１
2015224862.tif 000002
【特許請求の範囲】
【請求項１】
冷蔵庫本体（１）の出入口（２）を揺動開閉する観音開き構造の一対のドア（３・３）を有し、両ドア（３・３）の揺動先端の間にドア間の隙間を封止するドアシール構造が設けられている冷蔵庫であって、
ドアシール構造は、各ドア（３）の揺動先端に固定される縦長のシール枠（１１）と、シール枠（１１）に沿って配置される縦長のドアシール体（１２）と、ドアシール体（１２）の内部に配置される磁気吸着体（４０）とを含み、
シール枠（１１）は、ドア（３）に固定されるシールベース（１４）と、シールベース（１４）に圧嵌係合されて、ドアシール体（１２）を隣接するドア（３）へ向かって出退自在に支持するガイド枠（１５）と、ガイド枠（１５）の上下端にそれぞれ配置されてドアシール体（１２）の上下方向の移動を規制する上端面キャップ（１６）および下端面キャップ（１７）とを備えており、
上端面キャップ（１６）および下端面キャップ（１７）は、各端面キャップ（１６・１７）に形成された１個以上のキャップ爪（７１・７２・７３）と、前記キャップ爪（７１・７２・７３）に対応するようにシールベース（１４）に形成されたベース側係合部（５６ｂ・５７ｂ・６２ｂ）とで構成される係合構造で、シールベース（１４）に着脱可能に係合装着されており、
下端面キャップ（１７）とシールベース（１４）との係合強度が、上端面キャップ（１６）とシールベース（１４）との係合強度よりも大きく設定されていることを特徴とする冷蔵庫。
【請求項２】
シールベース（１４）は、ガイド枠（１５）が圧嵌係合される主ベース（１９）と、主ベース（１９）の上下端にそれぞれ装着される上ベース（２０）および下ベース（２１）とで構成されており、
上ベース（２０）および下ベース（２１）に、各端面キャップ（１６・１７）に形成された１個以上のキャップ爪（７１・７２・７３）に対応するベース側係合部（５６ｂ・５７ｂ・６２ｂ）がそれぞれ形成されており、
上端面キャップ（１６）が上ベース（２０）に係合装着され、下端面キャップ（１７）が下ベース（２１）に係合装着されている請求項１に記載の冷蔵庫。
【請求項３】
下端面キャップ（１７）が下ベース（２１）から分離した状態において、ドアシール体（１２）の落下を阻止する保持腕（６２）が下ベース（２１）に設けられており、
上端面キャップ（１６）には、第１キャップ爪（７１）および第２キャップ爪（７２）の２個のキャップ爪が設けられており、
下端面キャップ（１７）には、第１キャップ爪（７１）、第２キャップ爪（７２）、および第３キャップ爪（７３）の３個のキャップ爪が設けられており、
保持腕（６２）がベース側係合部（６２ｂ）を兼ねており、保持腕（６２）に下端面キャップ（１７）に設けた第３キャップ爪（７３）が係合している請求項２に記載の冷蔵庫。
【発明の詳細な説明】
【技術分野】
【０００１】
本発明は、観音開き式のドアを備え、一対のドアの揺動先端間にドアシール構造が設けられている冷蔵庫に関する。本発明における冷蔵庫とは、冷蔵庫、保冷庫、保温庫、温蔵庫を含む概念である。
【背景技術】
【０００２】
この種の冷蔵庫は、例えば特許文献１に公知である。係る特許文献１の冷蔵庫のドアシール構造は、各ドアの揺動先端に固定されるシール枠と、シール枠で支持される第１シール（ドアシール体）と、第１シールの内部に配置される磁石などで構成されている。シール枠の上下端にはそれぞれプラスチック材からなるキャップ（端面キャップ）が装着されており、キャップはシール枠に対してビスで固定されている。このキャップで、シール枠の溝に差込み係合した第１シールの上下方向への移動を規制して、第１シールがシール枠の上下端部から抜け出すのを防止している。
【０００３】
端面キャップを、ビス固定に替えて接着により固定することが特許文献２に開示されている。係る特許文献２の貯蔵庫のドアシール構造は、各開閉扉の揺動先端に固定される支持部材と、支持部材で支持される第２ドアパッキン（ドアシール体）と、第２ドアパッキンの内部に配置される磁石などで構成されている。第２ドアパッキンは、支持部材の挿入溝で支持されており、第２ドアパッキンの上下端面を、第１ドアパッキンの各先端面に接着固定した連結部材（端面キャップ）で覆うことにより、第２ドアパッキンの上下方向への移動を規制している。なお、連結部材は可撓性の合成樹脂で形成されている。同様の構成が特許文献３にも開示されている。
【先行技術文献】
【特許文献】
【０００４】
【特許文献１】特開平１１−３４４２８５号公報（段落番号００２２、図５）
【特許文献２】特開２００１−１９４０５０号公報（段落番号００２１、００２２、図６）
【特許文献３】特開平１１−６３７９９号公報（段落番号００２７、図１１）
【発明の概要】
【発明が解決しようとする課題】
【０００５】
ドアシール体が劣化あるいは破損した場合には、ドアシール構造のシール機能を回復させるために、ドアシール体を交換する必要がある。特許文献１の冷蔵庫では、キャップを固定しているビスを緩めて、上下いずれかのキャップを取り外すことにより、第１シールをシール枠から抜き出して交換することができる。しかし、ビスを緩め操作するためのドライバーなどの工具が別途必要であり、ドアシール体の交換作業に手間を要していた。
【０００６】
その点、特許文献２および３の貯蔵庫では、可撓性の連結部材で第２ドアパッキンの上下移動を規制しているので、いずれかの連結部材を撓み変形させることにより、第２ドアパッキンを支持部材から簡便に抜き出して交換することができる。しかし、開閉扉を開けた状態において、下側の連結部材に他物が接触や衝突した場合には、連結部材が意図せず撓み変形して、第２ドアパッキンの自重により支持部材から脱落するおそれがある。第２ドアパッキンが脱落したことに気付かないまま開閉扉を閉じた場合には、一対の開閉扉の揺動先端間のシールを行うことができず、庫内の冷気が外部に漏れ出してしまう。
【０００７】
本発明の目的は、他物の接触や衝突に起因してドアシール体が抜け落ちることをより確実に防ぐことを可能としながら、ドアシール体の交換作業をより迅速かつ簡便に行うことが可能な冷蔵庫を提供することにある。
【課題を解決するための手段】
【０００８】
本発明の冷蔵庫は、冷蔵庫本体１の出入口２を揺動開閉する観音開き構造の一対のドア３・３を有し、両ドア３・３の揺動先端の間にドア間の隙間を封止するドアシール構造が設けられている。ドアシール構造は、各ドア３の揺動先端に固定される縦長のシール枠１１と、シール枠１１に沿って配置される縦長のドアシール体１２と、ドアシール体１２の内部に配置される磁気吸着体４０とを含む。シール枠１１は、ドア３に固定されるシールベース１４と、シールベース１４に圧嵌係合されて、ドアシール体１２を隣接するドア３へ向かって出退自在に支持するガイド枠１５と、ガイド枠１５の上下端にそれぞれ配置されてドアシール体１２の上下方向の移動を規制する上端面キャップ１６および下端面キャップ１７とを備えている。上端面キャップ１６および下端面キャップ１７は、各端面キャップ１６・１７に形成された１個以上のキャップ爪７１・７２・７３と、前記キャップ爪７１・７２・７３に対応するようにシールベース１４に形成されたベース側係合部５６ｂ・５７ｂ・６２ｂとで構成される係合構造で、シールベース１４に着脱可能に係合装着されている。下端面キャップ１７とシールベース１４との係合強度が、上端面キャップ１６とシールベース１４との係合強度よりも大きく設定されていることを特徴とする。
【０００９】
シールベース１４は、ガイド枠１５が圧嵌係合される主ベース１９と、主ベース１９の上下端にそれぞれ装着される上ベース２０および下ベース２１とで構成する。上ベース２０および下ベース２１に、各端面キャップ１６・１７に形成された１個以上のキャップ爪７１・７２・７３に対応するベース側係合部５６ｂ・５７ｂ・６２ｂをそれぞれ形成する。上端面キャップ１６を上ベース２０に係合装着し、下端面キャップ１７を下ベース２１に係合装着する。
【００１０】
下端面キャップ１７が下ベース２１から分離した状態において、ドアシール体１２の落下を阻止する保持腕６２を下ベース２１に設ける。上端面キャップ１６には、第１キャップ爪７１および第２キャップ爪７２の２個のキャップ爪を設ける。下端面キャップ１７には、第１キャップ爪７１、第２キャップ爪７２、および第３キャップ爪７３の３個のキャップ爪を設ける。保持腕６２がベース側係合部６２ｂを兼ねており、保持腕６２に下端面キャップ１７に設けた第３キャップ爪７３を係合する。
【発明の効果】
【００１１】
本発明に係る冷蔵庫においては、上端面キャップ１６および下端面キャップ１７のそれぞれを、係合構造によりシールベース１４に対して着脱可能に係合装着した。これによれば、ビスにより端面キャップを固定する従来形態に比べて、両端面キャップ１６・１７のシールベース１４に対する着脱作業をより少ない手間で迅速に行うことが可能となる。従って、両端面キャップ１６・１７のシールベース１４に対する装着作業を伴うドアシール構造の組立て作業をより迅速かつ簡便に行うことが可能となる。また、必要があれば、両端面キャップ１６・１７のシールベース１４に対する取り外し作業を伴うドアシール体１２の交換作業をより迅速かつ簡便に行うことが可能となる。
【００１２】
そのうえで本発明においては、下端面キャップ１７とシールベース１４との係合強度を、上端面キャップ１６とシールベース１４との係合強度よりも大きく設定したので、ドアシール体１２の交換作業の容易化と、ドアシール体１２の不用意な脱落という、相反する課題を同時に解決することが可能となる。すなわち、本発明では、下端面キャップ１７とシールベース１４との係合強度を、上端面キャップ１６とシールベース１４のそれに比べて大きなものとしたので、他物の接触や衝突に起因する下端面キャップ１７のシールベース１４からの不用意な分離を効果的に防ぐことができ、従って、ガイド枠１５からドアシール体１２が抜け落ちること（脱落すること）をより確実に防ぐことが可能となる。加えて、本発明においては、上端面キャップ１６とシールベース１４との係合強度を、下端面キャップ１７とシールベース１４のそれに比べて小さなものとしたので、シールベース１４からの上端面キャップ１６の取り外しが容易となる。従って、より簡単かつ迅速にドアシール体１２の交換作業を進めることが可能となる。
【００１３】
両端面キャップ１６・１７が係合装着されるシールベース１４の上下端部を、主ベース１９とは別体の上下ベース２０・２１で構成していると、当該上下端部の両端面キャップ１６・１７との間の係合構造を設計する際の設計自由度が向上する。すなわち、シールベース１４の上下端部を、主ベース１９とは別体の上下ベース２０・２１で構成していると、シールベース１４の全体を単一の部材で構成する形態に比べて、シールベース１４の上下端の断面形状等といった設計自由度が向上し、当該上下端の係合構造の設計自由度が格段に向上する。以上より、上端面キャップ１６および下端面キャップ１７の係合構造に、所望の係合強度を付与することが可能となるため、当該上下端部に最適化された係合構造を形成することができる。
【００１４】
下端面キャップ１７がシールベース１４から分離した状態において、ドアシール体１２の落下を阻止する保持腕６２を下ベース２１に設けると、誤って下端面キャップ１７が分離した場合であっても、保持腕６２でドアシール体１２の落下を阻止して、ドアシール体１２がガイド枠１５から抜け出して脱落するのを防止できる。また、上端面キャップ１６に第１および第２のキャップ爪７１・７２を設け、下端面キャップ１７に第１から第３のキャップ爪７１・７２・７３を設け、下端面キャップ１７に設けた第３キャップ爪７３を、ベース側係合部６２ｂを兼ねる保持腕６２に係合させると、下端面キャップ１７の係合強度を第３キャップ爪７３の分だけ、上端面キャップ１６よりも大きくすることができる。従って、下ベース２１から下端面キャップ１７が分離するのをさらに確実に防止でき、また、上ベース２０から上端面キャップ１６を容易に取り外し操作できるドアシール構造を得ることができる。また、保持腕６２を利用して第３キャップ爪７３を係合させるので、別途第３キャップ爪７３用のベース側係合部を設ける必要がなく、部品点数を削減してドアシール構造が複雑化するのを防止できる。
【図面の簡単な説明】
【００１５】
【図１】本発明に係る冷蔵庫のドアシール構造を分解した状態の背面図である。
【図２】本発明に係る冷蔵庫の正面図である。
【図３】ドアシール構造の分解断面図である。
【図４】ドアシール構造の上下方向中央位置における横断平面図である。
【図５】ドアシール構造の下側の構造を示す分解斜視図である。
【図６】ドアシール構造の上側の構造を示す分解斜視図である。
【図７】シールベースを分解した状態の背面図である。
【図８】ドアシール構造の一部破断背面図である。
【図９】ドアシール構造の下ベース位置における横断平面図である。
【図１０】下端面キャップを下ベースから分離した状態を示す横断平面図である。
【発明を実施するための形態】
【００１６】
（実施例）  図１から図１０は本発明に係る冷蔵庫におけるドアシール構造を示す。本発明における前後、左右、上下、とは、図２および図４に示す交差矢印と、各矢印の近傍に表記した前後、左右、上下の表示に従う。図２において、符号１は冷蔵庫本体であり、その内部は上下２段の冷蔵室に区分されている。各冷蔵室の前面で開口する出入口２は、観音開き構造の一対のドア３・３で揺動開閉できるようになっており、各ドア３は、出入口２の両側の上下に配置したドアヒンジ４で支持されている。なお、ドア３の前面には把手５が設けられている。
【００１７】
ドア３の内面（庫内側）の上下辺部および吊元側の辺部に沿ってドアパッキン６がコ字状に設けられており、これとは別に各ドア３・３の揺動先端に、ドア間の隙間を封止するドアシール構造が設けられている。ドアパッキン６の内部には棒状の磁石７が配置されており、この磁石７と出入口２の開口周縁壁（鋼板）との磁気吸着作用で、ドア３と冷蔵庫本体１との接合部分をドアパッキン６で封止し、さらにドア３を閉じ状態に保持している。ドア３の揺動先端間の隙間の上下端のそれぞれに、シール構造とドアパッキン６との隙間からの冷気の漏れを防ぐ左右一対の端部シール８が設けられている。端部シール８は、ドア３に対する締結座を除くほとんどの部分が、弾性を有するエラストマーを素材として形成されており、ドアパッキン６の先端部に連続するように配置されてビスで固定されている（図１参照）。
【００１８】
図３に示すようにドア３の内面側には、各辺部に沿って四角枠状の段落面９が形成されており、この段落面９に、先のドアパッキン６とドアシール構造とが組み込まれている。ドアシール構造は、各ドア３の段落面９に固定される縦長のシール枠１１と、シール枠１１に組付られる縦長のドアシール体１２などで構成する。シール枠１１は、ドア３に固定されるシールベース１４と、ドアシール体１２を隣接するドア３へ向かって出退自在に支持するガイド枠１５と、ガイド枠１５の上下端にそれぞれ配置されてドアシール体１２の上下方向の移動を規制する上端面キャップ１６および下端面キャップ１７（図１参照）などで構成されている。また、図７に示すように、シールベース１４は、主ベース１９と、主ベース１９の上下端にそれぞれ装着される上ベース２０および下ベース２１とで構成されており、これらの部材は、それぞれ先の段落面９にビスで固定される。ガイド枠１５は、主ベース１９に圧嵌係合され、上端面キャップ１６および下端面キャップ１７は、上ベース２０および下ベース２１にそれぞれ着脱可能に係合装着される。なお、ガイド枠１５の上下端部は、上ベース２０、および下ベース２１に圧嵌係合している。
【００１９】
図３および図５に示すようにドアシール体１２は、後述するガイド溝３７で出退自在に案内支持されるパッキンフレーム３９と、パッキンフレーム３９の進出端に配置される磁石（磁気吸着体）４０と、磁石４０の外面を覆う弾性パッキン４１などで構成する。磁石４０は弾性パッキン４１の内部に配置されている。パッキンフレーム３９は、磁石４０用の装填凹部４２と、パッキンフレーム３９の出退方向に沿って装填凹部４２から連出されるスライド脚４３と、スライド脚４３に対して傾斜するシール脚４４とを一体に備えた、硬質プラスチック材製の押出成形品からなる。シール脚４４はその突端がスライド脚４３から遠ざかる向きに傾斜しており、後述するガイド枠１５の脚受壁３５と同じ角度で傾斜している。スライド脚４３およびシール脚４４の突端には、それぞれストッパー４５が設けられている。各ストッパー４５は、装填溝３６の周囲壁の段部、あるいは脚受壁３５の基端の段部に受止められて、パッキンフレーム３９がガイド溝３７から横方向へ抜出るのを防止する。シール壁３４と対向するシール脚４４の脚壁には、シール壁３４に摺接する軟質樹脂製のシール舌片４６が固定されている。
【００２０】
図３に示すように主ベース１９は、締結座２４の両側端の内面に係合壁２５・２６を突設し、さらに締結座２４の内面の左右中央にバックアップ壁２７を突設したプラスチック製の押出成形品からなる。各係合壁２５・２６には、係合段部２５ａ・２６ａが設けてある。また、係合壁２５の近傍の締結座２４、およびバックアップ壁２７の中途部には、それぞれ結露防止用のヒーター４９を装填するための装填溝２８が、主ベース１９の全長にわたって形成されている。係合壁２６とバックアップ壁２７との間の締結座２４の上下端には、後述する上ベース２０および下ベース２１の係止爪５９が係止される係止穴５９ａ・５９ｂが開口されている（図７参照）。
【００２１】
図５、図７および図９に示すように下ベース２１は、主ベース１９とほぼ同一の断面形状を有しており、後述する下端面キャップ１７の第１キャップ爪（キャップ爪）７１および第２キャップ爪（キャップ爪）７２が係合されるベース側係合部５６ｂ・５７ｂを追加した断面形状に形成されている。また、下ベース２１を主ベース１９に装着するための、係止爪５９を有する弾性腕６０および２個の位置決め突起６１が設けられている。さらに、バックアップ壁５７に、部分円弧状の保持腕６２と板状の保持板６３とからなる保持部材６４が設けられている。
【００２２】
具体的には、下ベース２１は、締結座５４の両側端の内面に係合壁５５・５６を突設し、さらに締結座５４の内面の左右中央にバックアップ壁５７を突設したプラスチック成形品からなる。各係合壁５５・５６には、係合段部５５ａ・５６ａが設けられている。係合壁５５の近傍の締結座５４、およびバックアップ壁５７の中途部には、それぞれ結露防止用のヒーター４９を装填するための装填溝５８が形成されている。先のベース側係合部５６ｂ・５７ｂは、係合壁５６とバックアップ壁５７との対向面にそれぞれ形成されている。弾性腕６０は、係合壁５６とバックアップ壁５７との間の締結座５４から上方へ向かって突設されており、位置決め突起６１はバックアップ壁５７の基部側から上方へ向かって突設されている。また、保持腕６２は、バックアップ壁５７の先端下部から係合壁５５の先端へ向かって湾曲状に突設されており、保持板６３は、バックアップ壁５７の中途部下面から係合壁５５の先端へ向かって突設されている。なお、保持腕６２は、後述する第３キャップ爪７３（キャップ爪）が係合するベース側係合部６２ｂとして機能する。このように、保持腕６２を利用して第３キャップ爪７３を係合させるので、別途第３キャップ爪７３用のベース側係合部を設ける必要がなく、部品点数を削減してドアシール構造が複雑化するのを防止できる。下ベース２１は、係止爪５９を係止穴５９ｂに係止させるように差込むことで、主ベース１９の下端に装着できる。このとき、下ベース２１は、弾性腕６０と位置決め突起６１とでバックアップ壁５７を挟持して左右方向の位置決めがされており、２個の位置決め突起６１がバックアップ壁５７で支持されて前後方向の位置決めがされている。
【００２３】
図１０に示すように、組み付け状態における保持腕６２は、ガイド溝３７で案内支持したドアシール体１２のシール脚４４の下方に位置しており、保持板６３は、スライド脚４３の下方に位置している。これにより、下端面キャップ１７が下ベース２１から分離した場合であっても、保持腕６２および保持板６３でドアシール体１２を受止めて、ドアシール体１２がガイド枠１５から抜け出して脱落するのを防止できる。また、保持腕６２と保持板６３とで保持部材６４を構成したので、保持腕６２または保持板６３のいずれか一方が破損した場合でも、残る他方でドアシール体１２を受止めることができ、ドアシール体１２がガイド枠１５から抜け出して脱落するのをよく防止できる。さらに、硬質プラスチック製のパッキンフレーム３９が備えるスライド脚４３およびシール脚４４を保持部材６４で受止めるので、ドアシール体１２を受止めた際に、磁石４０の外面を覆う弾性パッキン４１が保持腕６２や保持板６３に接触して破損するのをよく防止できる。保持部材６４を下ベース２１に一体に設けたので、部品点数を削減してドアシール構造が複雑化するのを防止でき、別途保持部材６４を取付ける場合に比べて、保持部材６４の組み付けの手間を省くことができる利点もある。
【００２４】
図６および図７に示すように上ベース２０は、下ベース２１を上下勝手違いにし、下ベース２１の保持部材６４を構成する保持腕６２および保持板６３を廃した形状のプラスチック成形品からなる。従って、同一の機能を有する部材には同一の符号を付して説明を省略する。上ベース２０は、係止爪５９を係止穴５９ａに係止させるように差込むことで、主ベース１９の上端に装着でき、下ベース２１と同様に、弾性腕６０と位置決め突起６１とで左右方向および前後方向の位置決めがされている。
【００２５】
上記のように、両端面キャップ１６・１７が係合装着されるシールベース１４の上下端部を、主ベース１９とは別体の上下ベース２０・２１で構成すると、当該上下端部の両端面キャップ１６・１７との間の係合構造を設計する際の設計自由度が向上する。すなわち、シールベース１４の上下端部を、主ベース１９とは別体の上下ベース２０・２１で構成していると、シールベース１４の全体を単一の部材で構成する形態に比べて、シールベース１４の上下端の断面形状等といった設計自由度が向上し、当該上下端の係合構造の設計自由度が格段に向上する。以上より、上端面キャップ１６および下端面キャップ１７の係合構造に、所望の係合強度を付与することが可能となるため、当該上下端部に最適化された係合構造を形成することができる。
【００２６】
図３に示すように、ガイド枠１５は、断面がＥ字状の枠本体３０と、枠本体３０に連続して横向きに連出されるカバー壁３１と、カバー壁３１の連出端に設けられるシール舌片３２とを一体に備えたプラスチック成形品からなる。枠本体３０およびカバー壁３１は、硬質プラスチック材を素材にして押出形成するが、その成形過程で軟質のプラスチック材からなるシール舌片３２を同時に成形して一体化している。枠本体３０およびカバー壁３１には、先の係合段部２５ａ・２６ａに対応する係合爪３０ａ・３１ａを設けている。ガイド枠１５の上下寸法は、主ベース１９に上ベース２０と下ベース２１とを装着した状態の上下寸法と略同一に設定されている。図３および図９に示すように、主ベース１９の係合段部２５ａ・２６ａ、および両ベース２０・２１の係合段部５５ａ・５６ａに係合爪３０ａ・３１ａを圧嵌係合する状態で、ガイド枠１５を主ベース１９の内面に組付けることにより、係合壁２６とバックアップ壁２７との間の空間をカバー壁３１で塞ぐことができる。また、カバー壁３１とドア３の内面壁との間の隙間をシール舌片３２で塞いで庫内空気が漏出るのを防ぐことができる。枠本体３０は、係合壁２５とバックアップ壁２７とで支持される。
【００２７】
図３に示すように枠本体３０には、主ベース１９の締結座２４の側から順に、ガイド壁３３と、シール壁３４と、脚受壁３５とが設けられ、シール壁３４の突端に吸着板４８を組付けるための装填溝３６が形成されている。ガイド壁３３と脚受壁３５との間に、対向するドア３の側へ向かって開口する縦長のガイド溝３７が形成されており、このガイド溝３７で、後述するドアシール体１２のパッキンフレーム３９を支持して、ドアシール体１２を隣接するドア３へ向かって出退自在に案内支持している。ガイド壁３３が締結座２４と平行に形成してあるのに対し、シール壁３４と脚受壁３５とはガイド壁３３と非平行に設けられてハ字状に傾斜している。詳しくは、シール壁３４はその突端がガイド壁３３から遠ざかる向きに傾斜してあり、脚受壁３５はその突端がガイド壁３３に接近する向きに傾斜している。カバー壁３１の上下端には、後述する上端面キャップ１６および下端面キャップ１７の係合壁７０・７０を受け入れる切欠き６６・６６が形成されている（図８参照）。
【００２８】
磁石４０は角棒状のプラスチック磁石からなり、装填凹部４２に装填した状態でドアシール体１２の上下端に磁石押さえ４７（図８参照）をそれぞれ固定することにより、ドアシール体１２の出退方向に沿って移動自在に組付けられる。これにより、磁石４０どうしが弾性パッキン４１を間にして吸着しあう封止吸着位置（図４参照）と、装填凹部４２の内奥壁で受止められる待機吸着位置（図１０参照）との間を移動できるようになっている。一対のドア３・３の隙間を介して対向するドアシール体１２・１２の磁石４０・４０は、一方の磁石４０の磁気吸着面をＳ極とするとき、他方の磁石４０の磁気吸着面がＮ極になるように組付けられている。これにより、開放されていたドア３を閉じ操作する過程で両磁石４０・４０が所定距離まで接近すると、磁石４０どうしが吸着する向きへ移動して、待機吸着位置にあったパッキンフレーム３９を封止吸着位置へ強制的に移動させることができる。さらに、図４に示すように弾性パッキン４１・４１どうしを密着させて、ドア３間の隙間を封止することができる。
【００２９】
吸着板４８は、例えば鉄板に代表される鉄系吸着材で帯板状に形成されており、先の装填溝３６に固定している。吸着板４８を設けることにより、ドア３を開放するのに伴って、磁石４０・４０どうしの磁気吸着作用が解消されると、磁石４０と吸着板４８との間の磁気吸着力で、磁石４０が待機吸着位置へ移動し、さらにドアシール体１２がガイド溝３７の内方の待機位置に退入操作される。従って、ドア３を開閉するときドアシール体１２が遊動し、あるいはぐら付くのを防止できる。
【００３０】
上端面キャップ１６と下端面キャップ１７とは、ガイド溝３７で出退自在に案内支持されるドアシール体１２の上下方向の移動を規制するために設けられている。図５および図１０に示すように下端面キャップ１７はプラスチック成形品からなり、ガイド枠１５の平面形状に近似する五角形状の水平壁６８と、水平壁６８の前縁部から下方に延設される垂直壁６９と、水平壁６８の後端傾斜縁部から上方に延設される係合壁７０とで構成されている。係合壁７０は、先の切欠き６６と同形状に形成されており、この係合壁７０に、下ベース２１のベース側係合部５６ｂ・５７ｂと係合する第１キャップ爪７１および第２キャップ爪７２が後方に向かって延設されている。水平壁６８の上面には、先の保持部材６４を収容する収容凹部７４が凹み形成されており、収容凹部７４の第１および第２キャップ爪７１・７２から離れた側の周壁面に、保持腕６２（ベース側係合部６２ｂ）と係合する第３キャップ爪７３が形成されている。下端面キャップ１７は、第１から第３のキャップ爪７１・７２・７３と先の係合段部５６ｂ・５７ｂ・６２ｂとで構成される３個の係合構造で、下ベース２１に係合装着されている。第１および第２キャップ爪７１・７２をベース側係合部５６ｂ・５７ｂに係合させ、第３キャップ爪７３をベース側係合部６２ｂ（保持腕６２）に係合させることにより、下端面キャップ１７を下ベース２１に係合装着できる。このとき、垂直壁６９が、端部シール８に凹み形成された凹部７５に収容されることにより、下端面キャップ１７の上下方向の移動が阻止される（図８参照）。凹部７５に収容された垂直壁６９の後面と端面シール８の後面とは、面一状になっている。
【００３１】
下端面キャップ１７を下ベース２１に係合装着した状態においては、水平壁６８の上面で、下側の磁石押さえ４７を受止めることにより、ドアシール体１２の下方への移動を規制している（図８参照）。この状態では、保持部材６４を構成する保持腕６２と保持板６３の上面は、水平壁６８の上面よりも僅かに低い位置にあり、従って、下側の磁石押さえ４７は、保持腕６２および保持板６３の上面とは接触していない。これにより、ドアシール体１２に下向きの外力が作用したときに、磁石押さえ４７で第３キャップ爪７３と保持腕６２（ベース側係合部６２ｂ）との係合が解除されるのを防止している。
【００３２】
図６に示すように上端面キャップ１６は、下端面キャップ１７を上下勝手違いにし、収容凹部７４および第３キャップ爪７３を廃してその分水平壁６８の厚み寸法を小さくしたプラスチック成形品からなる。従って、同一の機能を有する部材には同一の符号を付して説明を省略する。これより、上端面キャップ１６は、第１および第２キャップ爪７２・７３と先の係合段部５６ｂ・５７ｂとで構成される２個の係合構造で、上ベース２０に係合装着されている。第１および第２キャップ爪７１・７２をベース側係合部５６ｂ・５７ｂに係合させることにより、上端面キャップ１６を上ベース２０に係合装着できる。このとき、下端面キャップ１７と同様に、垂直壁６９が、端部シール８に凹み形成した凹部７５に収容されることにより、上端面キャップ１６の上下方向の移動が阻止される（図８参照）。ドアシール体１２は、上側の磁石押さえ４７が水平壁６８の下面で受止められることにより、上方への移動が規制される。
【００３３】
上記のように、上端面キャップ１６および下端面キャップ１７の第１キャップ爪７１と第２キャップ爪７２とは同一に形成されており、また、上ベース２０および下ベース２１のベース側係合部５６ｂ・５７ｂも同一に形成されている。これより、第１および第２キャップ爪７１・７２に係る係合構造部分では同一の係合強度を発揮している。しかし、下端面キャップ１７には、第３キャップ爪７３による係合強度が追加される。従って、下端面キャップ１７の係合強度は、上端面キャップ１６の係合強度よりも第３キャップ爪７３の分だけ、大きく設定される。
【００３４】
以上のように、本実施例の冷蔵庫のドアシール構造においては、上端面キャップ１６および下端面キャップ１７のそれぞれを、係合構造によりシールベース１４（上ベース２０、下ベース２１）に対して着脱可能に係合装着したので、ビスにより端面キャップを固定する従来形態に比べて、両端面キャップ１６・１７のシールベース１４に対する着脱作業をより少ない手間で迅速に行うことが可能となる。従って、両端面キャップ１６・１７のシールベース１４に対する装着作業を伴うドアシール構造の組立て作業をより迅速かつ簡便に行うことが可能となり、また、必要があれば、両端面キャップ１６・１７のシールベース１４に対する取り外し作業を伴うドアシール体１２の交換作業をより迅速かつ簡便に行うことが可能となる。
【００３５】
また、下端面キャップ１７とシールベース１４との係合強度を、上端面キャップ１６とシールベース１４との係合強度よりも大きく設定したので、ドアシール体１２の交換作業の容易化と、ドアシール体１２の不用意な脱落という、相反する課題を同時に解決することが可能となる。すなわち、下端面キャップ１７とシールベース１４との係合強度を、上端面キャップ１６とシールベース１４のそれに比べて大きなものとしたので、他物の接触や衝突に起因する下端面キャップ１７のシールベース１４からの不用意な分離を効果的に防ぐことができ、従って、ガイド枠１５からドアシール体１２が抜け落ちること（脱落すること）をより確実に防ぐことが可能となる。加えて、上端面キャップ１６とシールベース１４との係合強度を、下端面キャップ１７とシールベース１４のそれに比べて小さなものとしたので、シールベース１４からの上端面キャップ１６の取り外しが容易となる。従って、より簡単かつ迅速にドアシール体１２の交換作業を進めることが可能となる。
【００３６】
上記の実施例では、係合構造の形成数を大小にして係合強度が異なるように構成したが、係合構造の形成数を同じにし、各係合構造の係合強度を異ならせることで係合強度が大小に異なるようにしてもよい。例えば、各キャップ爪７１〜７３のベース側係合部５６ｂ・５７ｂ・６２ｂに対する係合長さや、係合深さを大きくし、あるいは各キャップ爪７１〜７３の変形応力を大きくして係合強度を高めることができる。
【符号の説明】
【００３７】
１  冷蔵庫本体
２  出入口
３  ドア
１１  シール枠
１２  ドアシール体
１４  シールベース
１５  ガイド枠
１６  上端面キャップ
１７  下端面キャップ
１９  主ベース
２０  上ベース
２１  下ベース
４０  磁気吸着体（磁石）
６２  保持腕
７１  第１キャップ爪（キャップ爪）
７２  第２キャップ爪（キャップ爪）
７３  第３キャップ爪（キャップ爪）
５６ｂ  ベース側係合部
５７ｂ  ベース側係合部
６２ｂ  ベース側係合部
【図１】
2015224862.tif 000003
【図２】
2015224862.tif 000004
【図３】
2015224862.tif 000005
【図４】
2015224862.tif 000006
【図５】
2015224862.tif 000007
【図６】
2015224862.tif 000008
【図７】
2015224862.tif 000009
【図８】
2015224862.tif 000010
【図９】
2015224862.tif 000011
【図１０】
2015224862.tif 000012